(57)【要約】      （修正有）【課題】ＣＤプレーヤーやＰＣオーディオ等において生じる音質低下の問題を低コストで改善できるオーディオ機器、そのオーディオ機器に用いる音楽再生補助装置、及び音楽再生補助装置用ケーブルを提供する。【解決手段】信号送受信ライン１１の両側にＵＳＢ端子１２を備えた、電源供給ラインを持たないデータ転送ケーブル１と、このデータ転送ケーブルの一方のＵＳＢ端子を接続するためのＵＳＢポート２１、及び音楽データが記録されたメモリカードＭを差し込むための差込スロット２２を備え、かつ、筐体外部の独自電源に接続するための電源ケーブル２４を一体に又は着脱式に備えた、再生機能を持たない自力駆動型のリーダ装置２とを含んで音楽再生補助装置を構成した。ＵＳＢケーブルを経由してオーディオ機器側からリーダ装置に電力が供給されないため、バスパワーによってＵＳＢコネクタ及びケーブル中の信号送受信ラインにノイズが混入する問題を解消できる。【選択図】図１
0003187836.tif 000002
【実用新案登録請求の範囲】
【請求項１】
信号送受信ライン(11)の両側にＵＳＢ端子(12)(12)を備えた、電源供給ラインを持たないデータ転送ケーブル(１)と；このデータ転送ケーブル(１)の一方のＵＳＢ端子(12)を接続するためのＵＳＢポート(21)、及び音楽データが記録されたメモリカード(Ｍ)を差し込むための差込スロット(22)を備え、かつ、筐体外部の独自電源に接続するための電源ケーブル(24)を一体に又は着脱式に備えた、再生機能を持たない自力駆動型のリーダ装置(２)とを含んで構成されることを特徴とする音楽再生補助装置。
【請求項２】
信号送受信ライン(11)の両側にＵＳＢ端子(12)(12)を備えた、電源供給ラインを持たないデータ転送ケーブル(１)と；このデータ転送ケーブル(１)の一方のＵＳＢ端子(12)を接続するためのＵＳＢポート(21)、及び音楽データが記録されたメモリカード(Ｍ)を差し込むための差込スロット(22)を備え、かつ、筐体内部に独自電源としてバッテリー(25)を備えた、再生機能を持たない自力駆動型のリーダ装置(２)とを含んで構成されることを特徴とする音楽再生補助装置。
【請求項３】
信号送受信ライン(11)の両側にＵＳＢ端子(12)(12)を備え、かつ、一方のＵＳＢ端子(12)から電源供給ライン(13)が信号送受信ライン(11)から分離して設けられた二股状のデータ転送ケーブル(１)と；このデータ転送ケーブル(１)の一方のＵＳＢ端子(12)を接続するためのＵＳＢポート(21)、及び音楽データが記録されたメモリカード(Ｍ)を差し込むための差込スロット(22)を備え、かつ、前記データ転送ケーブル(１)の電源供給ライン(13)を通して筐体外部の独自電源から電源供給を受けられる、再生機能を持たない自力駆動型のリーダ装置(２)とを含んで構成されることを特徴とする音楽再生補助装置。
【請求項４】
データ転送ケーブル(１)がリーダ装置(２)に接続された状態で一体化されていることを特徴とする請求項１〜３の何れか一つに記載の音楽再生補助装置。
【請求項５】
信号送受信ライン(11)の両側にＵＳＢ端子(12)(12)を備えた、電源供給ラインを持たないデータ転送ケーブル(１)と；このデータ転送ケーブル(１)の一方のＵＳＢ端子(12)を接続するためのＵＳＢポート(21)、及び音楽データが記録されたメモリカード(Ｍ)を差し込むための差込スロット(22)を備え、かつ、筐体外部の独自電源に接続するための電源ケーブル(24)を一体に又は着脱式に備えた、再生機能を持たない自力駆動型のリーダ装置(２)と；前記データ転送ケーブル(１)の他方のＵＳＢ端子(12)を接続するためのＵＳＢポート(31)を備え、筐体内に少なくともメモリ(32)、デコーダ(33)及びＤＡＣ(34)を有する音楽再生装置(３)とを含んで構成されることを特徴とするオーディオ機器。
【請求項６】
信号送受信ライン(11)の両側にＵＳＢ端子(12)(12)を備えた、電源供給ラインを持たないデータ転送ケーブル(１)と；このデータ転送ケーブル(１)の一方のＵＳＢ端子(12)を接続するためのＵＳＢポート(21)、及び音楽データが記録されたメモリカード(Ｍ)を差し込むための差込スロット(22)を備え、かつ、筐体内部に独自電源としてバッテリーを備えた、再生機能を持たない自力駆動型のリーダ装置(２)と；前記データ転送ケーブル(１)の他方のＵＳＢ端子(12)を接続するためのＵＳＢポート(31)を備え、筐体内に少なくともメモリ(32)、デコーダ(33)及びＤＡＣ(34)を有する音楽再生装置(３)とを含んで構成されることを特徴とするオーディオ機器。
【請求項７】
信号送受信ライン(11)の両側にＵＳＢ端子(12)(12)を備えた、かつ、一方のＵＳＢ端子(12)から電源供給ライン(13)が信号送受信ライン(11)から分離して設けられた二股状のデータ転送ケーブル(１)と；このデータ転送ケーブル(１)の一方のＵＳＢ端子(12)を接続するためのＵＳＢポート(21)、および音楽データが記録されたメモリカード(Ｍ)を差し込むための差込スロット(22)を備え、かつ、前記データ転送ケーブル(１)の電源供給ライン(13)を通して筐体外部の独自電源から電源供給を受けられる、再生機能を持たない自力駆動型のリーダ装置(２)と；前記データ転送ケーブル(１)の他方のＵＳＢ端子(12)を接続するためのＵＳＢポート(31)を備え、筐体内に少なくともメモリ(32)、デコーダ(33)及びＤＡＣ(34)を有する音楽再生装置(３)とを含んで構成されることを特徴とするオーディオ機器。
【請求項８】
信号送受信ライン(11)の両側にＵＳＢ端子(12)(12)を備え、かつ、一方のＵＳＢ端子(12)から電源供給ライン(13)が信号送受信ライン(11)から分離して設けられて二股状となっていることを特徴とする音楽再生補助装置用ケーブル。
【考案の詳細な説明】
【技術分野】
【０００１】
本考案は、オーディオ機器の改良、詳しくは、ＣＤプレーヤーやパソコン、ＵＳＢ接続が可能なメモリカードリーダ装置を利用した音楽再生において生じる音質低下の問題を改善できるオーディオ機器、及びそのオーディオ機器に用いる音楽再生補助装置、及び音楽再生補助装置用ケーブルに関するものである。
【背景技術】
【０００２】
従来、オーディオ機器における音楽データの再生方式は、ＣＤプレーヤーを用いたものが一般的であったが、ＣＤプレーヤーは、ＣＤ盤を高速回転させながら記録面にレーザ光を当て、その反射光をピックアップ(受光)レンズで検出してデータを読み取る方式であるため、音楽データを１００％の精度で読み取ることが極めて難しい。
【０００３】
もう少し詳しく説明すると、ＣＤプレーヤーは、トレイ開閉時に侵入した塵や埃がピックアップレンズに付着して読み取りミスを起こし易いだけでなく、ＣＤ盤の回転装置を駆動させた際の機械振動や、駆動モータの磁場環境への影響によって音飛びやノイズが発生し易いため、そもそも音楽データの完全読み取りを前提としていない。
【０００４】
ちなみに、記録媒体であるＣＤには、上記データ読み取り時のエラーを補うために、データ訂正用のコードが各セクタに書き込まれているが、それでも読み取りデータの正確性を一般ユーザが聴いて気付かない程度に向上するのが限界であるため、ＣＤプレーヤーの特性に付随する悪影響を除去して劇的な音質改善を行うことは難しい。
【０００５】
一方、最近では、パソコンを利用して音楽再生を行う方式(ＰＣオーディオ方式)も流行しているが、このＰＣオーディオ方式は、元々オーディオ用途ではない絶縁処理が行われていないパソコンを利用するため、パソコン内部の電磁波(特にスイッチング電源から発せられる高周波ノイズ)によって転送データにノイズが混入する問題がある。
【０００６】
もちろん、パソコン内を絶縁処理して上記問題を抑制することも可能であるが、それだと今度はコスト面の問題が大きくなる。しかも、上記ＰＣオーディオ方式では、パソコンで再生したデータをオーディオ機器側のＤＡＣに等倍速で転送しているため、再生データの転送中に電磁波等の悪影響を受けるリスクが非常に高い。
【０００７】
また最近では、ＵＳＢ接続したオーディオ機器にＳＤカード等から読み込んだ音楽データを転送するメモリカードリーダ装置も販売されており、オーディオ機器のＵＳＢポートに直接差込んで使用するタイプ(特許文献１参照)や、ＵＳＢケーブルを介してオーディオ機器に接続するタイプ(特許文献２参照)が既に公知となっている。
【０００８】
しかしながら、上記オーディオ機器にＵＳＢ接続して使用するメモリカードリーダ装置においては、ＵＳＢバスパワーを利用してオーディオ機器側から電源供給を受ける構造となっているため、ＵＳＢコネクタまたはＵＳＢケーブル内の電源供給ラインに電流が流れたときに、電源供給ライン周囲の磁場環境が変化して近くを並走する信号送受信ラインにノイズが混入する問題がある。
【０００９】
また、ＳＤカードを直接差込んで音楽再生が可能な携帯型の音楽プレーヤーも既に公知となっているが、これらの音楽プレーヤーは、機器内に再生機能のための回路や電子部品を多く内蔵しているため、ＳＤカードコネクタ近辺でのデータ伝送中に電子部品の微弱振動や電磁波、発熱、内部電流の影響を受けてノイズが発生し易かった。
【先行技術文献】
【特許文献】
【００１０】
【特許文献１】特開２００９−２８２９５１号公報
【特許文献２】特開２００６−６５９９４号公報
【考案の概要】
【考案が解決しようとする課題】
【００１１】
本考案は、従来技術に上記問題があったことに鑑みて為されたものであり、その目的とするところは、ＣＤプレーヤーやＰＣオーディオ等において生じる音質低下の問題を低コストで改善できるオーディオ機器、そのオーディオ機器に用いる音楽再生補助装置、及び音楽再生補助装置用ケーブルを提供することにある。
【課題を解決するための手段】
【００１２】
本考案者が上記技術的課題を解決するために採用した手段を、添付図面を参照して説明すれば、次のとおりである。
【００１３】
即ち、本考案は、信号送受信ライン11の両側にＵＳＢ端子12・12を備えた、電源供給ラインを持たないデータ転送ケーブル１と；このデータ転送ケーブル１の一方のＵＳＢ端子12を接続するためのＵＳＢポート21、及び音楽データが記録されたメモリカードＭを差し込むための差込スロット22を備え、かつ、筐体外部の独自電源に接続するための電源ケーブル24を一体に又は着脱式に備えた、再生機能を持たない自力駆動型のリーダ装置２とを含んで音楽再生補助装置を構成した点に特徴がある。
【００１４】
また本考案では、上記音楽再生補助装置の構成に代えて、信号送受信ライン11の両側にＵＳＢ端子12・12を備えた、電源供給ラインを持たないデータ転送ケーブル１と；このデータ転送ケーブル１の一方のＵＳＢ端子12を接続するためのＵＳＢポート21、及び音楽データが記録されたメモリカードＭを差し込むための差込スロット22を備え、かつ、筐体内部に独自電源としてバッテリー25を備えた、再生機能を持たない自力駆動型のリーダ装置２とを含む構成を採用することもできる。
【００１５】
また更に、本考案では、上記音楽再生補助装置の構成に代えて、信号送受信ライン11の両側にＵＳＢ端子12・12を備え、かつ、一方のＵＳＢ端子12から電源供給ライン13が信号送受信ライン11から分離して設けられた二股状のデータ転送ケーブル１と；このデータ転送ケーブル１の一方のＵＳＢ端子12を接続するためのＵＳＢポート21、及び音楽データが記録されたメモリカードＭを差し込むための差込スロット22を備え、かつ、データ転送ケーブル１の電源供給ライン13を通して筐体外部の独自電源から電源供給を受けられる、再生機能を持たない自力駆動型のリーダ装置２とを含む構成を採用することもできる。
【００１６】
なお、上記データ転送ケーブル１については、リーダ装置２に接続した状態で外れないように固定することもでき、その場合には、データ転送ケーブル１とリーダ装置２を一体化することができるため、音楽再生補助装置の取り扱いが容易になる。
【００１７】
一方、本考案では、上記各構成から成る音楽補助再生装置に、データ転送ケーブル１の他方のＵＳＢ端子12を接続するためのＵＳＢポート31を備え、筐体内に少なくともメモリ32、デコーダ33及びＤＡＣ34を有する音楽再生装置３を加えてオーディオ機器を構成することもできる。
【考案の効果】
【００１８】
本考案では、メモリカード(ＳＤカード等)の読み取りを行うリーダ装置とオーディオ機器を、電源供給ラインを持たないＵＳＢケーブルで接続すると共に、リーダ装置を独自電源で駆動できるようにしたことにより、ＵＳＢケーブルを経由してオーディオ機器側からリーダ装置に電力が供給されないため、バスパワーによってＵＳＢコネクタ及びケーブル中の信号送受信ラインにノイズが混入する問題を解消することができる。
【００１９】
しかも、本考案では、ＰＣオーディオ方式のようにパソコンを利用しないため、パソコン内の強力な電磁波によって転送データが悪影響を受ける心配もない。また、メモリカードから読み取ったデータは、オーディオ機器に高速(ＳＤスピードクラスclass10で10MB/s以上)で転送されるため、転送データが電磁波等に晒されるリスクも殆どない。
【００２０】
また更に、本考案では、メモリカードのリーダ装置を利用しているため、ＣＤプレーヤーのようなレンズの汚れや回転機構の機械振動、駆動モータの磁気的影響などによって読み取りミスやノイズが生じることもなく、訂正コードを用いた補正も不要であるため、極めて正確なデジタルデータに基いて音楽再生を行うことができる。
【００２１】
また、本考案では、再生機能を持たないリーダ装置を使用しているため、装置内の電子部品や回路の数を減らして、ノイズ発生の原因となる再生時の電子部品の微弱振動や電磁波、発熱、内部電流の悪影響を抑制できる。なお、筐体外部の独自電源を利用する場合には、バッテリーの発熱等による悪影響も回避することができる。
【００２２】
他方また、本考案では、主にパソコンや携帯音楽プレーヤーを接続するためにオーディオ機器に設けられているＵＳＢポートを利用して、オーディオ機器に上記リーダ装置を専用のデータ転送ケーブルを介して接続するだけでよいため、オーディオ機器そのものを改良する必要はなく、音質改善を低コストで行うことができる。
【００２３】
したがって、本考案により、従来一般的であったＣＤプレーヤーによる音楽再生や、最近流行のＰＣオーディオ方式による音楽再生よりも格段にノイズの少ないオーディオファンも満足できる高音質を実現でき、しかも、ユーザのコスト負担も小さいオーディオ機器を提供できることから、本考案の実用的価値は頗る高い。
【図面の簡単な説明】
【００２４】
【図１】本考案の実施例１におけるオーディオ機器および音楽再生補助装置の構成を表わすブロック図である。
【図２】本考案の実施例２における音楽再生補助装置の構成を表わすブロック図である。
【図３】本考案の実施例３における音楽再生補助装置の構成を表わすブロック図である。
【考案を実施するための形態】
【００２５】
『実施例１』
本考案の実施例１について、図１に基いて説明する。なお同図において、符号１で指示するものは、データ転送ケーブルであり、符号２で指示するものは、リーダ装置である。また符号３で指示するものは、音楽再生装置であり、符号４で指示するものは、アンプである。また符号５で指示するものは、スピーカーである。
【００２６】
まず本実施例では、信号送受信ライン11の両側にＵＳＢ端子12・12(コネクタ形状：Ａ−Ｂタイプ)を備えたデータ転送ケーブル１と、このデータ転送ケーブル１の一方のＵＳＢ端子12(Ｂタイプ)を接続するためのＵＳＢポート21を備えたメモリカードＭのリーダ装置２とから音楽再生補助装置を構成している(図１参照)。
【００２７】
そして、上記データ転送ケーブル１には、一般的なＵＳＢケーブルではなく、電源供給(バスパワー)ラインを持たない専用のケーブルを使用している。なお、電源供給ラインについては、ケーブル内に配線自体が存在していてもＵＳＢ端子12のパスパワー用ピンを抜くなどして実質的に機能しない状態となっていればよい。
【００２８】
また、上記リーダ装置２に関しては、メモリカードＭを差し込むための差込スロット22および読み込み・転送の制御を行うコントローラ23を備えた構造となっている。また本実施例では、上記メモリーカードＭの差込スロット22に、ＳＤカード用のものを採用しているが、サイズや読み書き方式に互換性のあるマルチメディアカード(ＭＭＣ)を使用することもできる。
【００２９】
また更に、本実施例では、上記リーダ装置２に、筐体外部の独自電源に接続するための電源ケーブル24を設けている。なお本実施例では、電源ケーブル24と電源の間にＡＣアダプタＤを介し、電源ケーブル24をリーダ装置２と一体に設けているが、電源ゲーブル24をリーダ装置２の筐体から着脱可能に設けることもできる。
【００３０】
そして、上記の構成を採用したことにより、データ転送ケーブル１の他方のＵＳＢ端子12を音楽再生装置３に接続して音楽再生を行った際、リーダ装置２を外部電源によって自力駆動させることができるため、バスパワーの悪影響を受けることなくメモリカードＭに記録されている音楽データを音楽再生装置３に高速で転送することができる。
【００３１】
またこれにより、１）音源として使用するデジタルデータ自身の正確性の向上、２）データ転送経路中における電磁波ノイズの影響の排除、３）演算処理工程へのデータ転送速度の向上を図ることができるため、従来のＣＤプレーヤーやＰＣオーディオよりも遙かにノイズの少ない高音質再生が可能となる。
【００３２】
なお、本実施例で使用する音楽再生装置３に関しては、データ転送ケーブル１の他方のＵＳＢ端子12(Ａタイプ)を接続するためのＵＳＢポート31、メモリカードＭから転送された音楽データを一時的に記憶するためのメモリ32、メモリ32に記憶された音楽データを再生するためのデコーダ33、デコーダ33から出力されるデジタル信号をアナログ信号に変換するためのＤＡＣ34を筐体内に備えた構造となっている。
【００３３】
また本実施例では、上記音楽再生装置３に、ＤＡＣ34で変換出力されたアナログ信号を増幅するためのアンプ４、及びアンプ４で増幅されたアナログ信号を音として出力するスピーカー５を接続してオーディオ機器を構成している。もちろん、アンプ４やスピーカー５を音楽再生装置３に内蔵した構成を採用することもできる。
【００３４】
また、上記リーダ装置２については、コントローラ23に書き込み機能を追加してリーダライタ装置とすることもできるが、リーダ装置２には、音源として用いるデジタルデータが回路や電子部品の悪影響を極力受けないように、再生機能およびその他の余計な機能を設けないようにする。
【００３５】
また本実施例では、上記音楽再生補助装置を分解して簡単に持ち運べるように、データ転送ケーブル１とリーダ装置２を着脱自在に構成しているが、ケーブルの紛失等を起こり難くするために、データ転送ケーブル１をリーダ装置２に接続した状態で外れないように固定して両者を一体化してもよい。
【００３６】
『実施例２』
本考案の実施例２について、図２に基いて説明する。この実施例２では、音楽再生補助装置のリーダ装置２において、筐体内に独自電源としてバッテリー25を設け、このバッテリー25からコントローラ23が給電を受けられるように配線を行っている。その他の構成については、実施例１と同様である。
【００３７】
そして、上記のようにバッテリー24を内蔵してリーダ装置２を自力駆動型に構成したことにより、実施例１と同様、リーダ装置２がデータ転送ケーブル１を通して音楽再生装置３から電力供給を受ける必要がなくなるため、ＵＳＢケーブルのバスパワー機能に起因する音質低下の問題を回避することができる。
【００３８】
『実施例３』
本考案の実施例３について、図３に基いて説明する。この実施例３では、音楽再生補助装置のデータ転送ケーブル１について、一方のＵＳＢ端子12(Ｂタイプ)から電源供給ライン13を信号送受信ライン11から分離して設けることによってケーブルを二股状に構成している。そして、このデータ転送ケーブル１の電源供給ライン13を、リーダ装置２の筐体外部の独自電源にＡＣアダプタＤを介して接続している。
【００３９】
これにより、音楽再生時において、リーダ装置２が独自電源からデータ転送ケーブル１の電源供給ライン13を通して電源供給を受けることが可能となるため、実施例１や実施例２の自力駆動型のリーダ装置２と同様に、バスパワー機能によるノイズの混入を防止することができる。
【００４０】
本考案は、概ね上記のように構成されるが、実施例に限定されるものではなく、「実用新案登録請求の範囲」の記載内において種々の変更が可能であって、例えば、データ転送ケーブル１の被覆材やリーダ装置２の筐体については、外部からの電磁波を遮蔽するシールド材料(銀、銅、金、アルミニウム又はニッケル等)から構成することもできる。
【００４１】
また、上記リーダ装置２については、複数のメモリカードＭ・Ｍを差し込めるように、また異なる種類のメモリカードＭ(例えば、ＳＤカードとコンパクトフラッシュ(登録商標)など)を差し込めるように差込スロット22を複数設けることもでき、上記何れのものも本考案の技術的範囲に属する。
【産業上の利用可能性】
【００４２】
近年、オーディオファンの多くが、音質に限界のあるＣＤプレーヤーからＰＣオーディオ等の他のデジタルオーディオに移行しつつある。そのような中で、本考案の専用ケーブル付きの音楽再生補助装置およびオーディオ機器は、ＰＣオーディオに付随する音質低下の問題を解消でき、しかも、コストパフォーマンスにも優れた有用な技術であるため、その産業上の利用価値は非常に高い。
【符号の説明】
【００４３】
１  データ転送ケーブル
11  信号送受信ライン
12  ＵＳＢ端子
13  電源供給ライン
２  リーダ装置
21  ＵＳＢポート
22  差込スロット
23  コントローラ
24  電源ケーブル
３  音楽再生装置
31  ＵＳＢポート
32  メモリ
33  デコーダ
34  ＤＡＣ
４  アンプ
５  スピーカー
Ｍ  メモリカード
Ｄ  ＡＣアダプタ
【図１】
0003187836.tif 000003
【図２】
0003187836.tif 000004
【図３】
0003187836.tif 000005